(57)【特許請求の範囲】
【請求項１】
マルチメディア・ブロードキャスト・マルチキャスト・サービス（MBMS）のためのマルチユーザ非直交重畳送信を実行するよう動作可能なeNodeBの装置であって、当該装置は、
第1の変調符号化方式（MCS）によってMBMSのための第1の物理マルチキャストチャネル（PMCH）信号を変調し、
第2のMCSによってMBMSのための第2のPMCH信号を変調し、
アグリゲートPMCH信号を構成するため、前記第1のPMCH信号及び前記第2のPMCH信号を多重化し、
MBMSのためのマルチユーザ非直交重畳を用いて前記アグリゲートPMCH信号を複数のUEに送信するよう構成される1つ以上のプロセッサ及びメモリを有し、
前記アグリゲートPMCH信号における前記第1のPMCH信号は、前記アグリゲートPMCH信号における前記第2のPMCH信号の物理リソースブロック（PRB）と時間及び周波数において部分的又は完全に重複するPRBを用いて送信され、
前記1つ以上のプロセッサは更に、
第1のマルチキャストブロードキャスト単一周波数ネットワーク（MBSFN）リファレンス信号（RS）及び第2のMBSFN  RSを特定し、前記第1のMBSFN  RSは前記第1のPMCH信号に関連し、前記第2のMBSFN  RSは前記第2のPMCH信号に関連し、
前記第1のMBSFN  RS及び前記第2のMBSFN  RSを前記アグリゲートPMCH信号と共に前記複数のUEに送信するよう構成される装置。
【請求項２】
前記UEが前記アグリゲートPMCH信号を復号化することを可能にするため、電力オフセットパラメータを前記複数のUEに送信するよう更に構成され、
前記電力オフセットパラメータは、前記アグリゲートPMCH信号において前記第1のPMCH信号と前記第2のPMCH信号との間の電力分割比を示す、請求項１記載の装置。
【請求項３】
前記電力オフセットパラメータは、前記第1のPMCH信号と前記第2のPMCH信号のマルチキャストブロードキャスト単一周波数ネットワーク（MBSFN）リファレンス信号(RS)のEPREに対するリソース要素毎のPMCHエネルギー（EPRE）のレシオを示す、請求項２記載の装置。
【請求項４】
前記電力オフセットパラメータは、複数のPMCH信号の間の電力共有をサポートする負のデシベル（dB）値の量子化セットからの規定値を示す、請求項２又は３記載の装置。
【請求項５】
前記第1のMCS及び前記第2のMCSを1つ以上のUEに送信するよう更に構成され、
前記eNodeBに相対的に近くに配置される第1のUEは、前記アグリゲートPMCH信号における前記第1のPMCH信号及び前記第2のPMCH信号を復調するよう構成され、前記eNodeBから相対的に遠くに配置される第2のUEは、前記アグリゲートPMCH信号における前記第2のPMCH信号のみを復調するよう構成される、請求項１記載の装置。
【請求項６】
PMCHコンフィギュレーション情報要素（IE）を用いて前記複数のUEに電力オフセットパラメータ、前記第1のMCS及び前記第2のMCSを送信するよう更に構成され、
前記電力オフセットパラメータ及び前記MCSの２つのインスタンスは、前記UEが前記アグリゲートPMCH信号における前記第1のPMCH信号及び前記第2のPMCH信号を復号化することを可能にする、請求項１記載の装置。
【請求項７】
前記第1のPMCH信号に割り当てられた第1のスクランブリングアイデンティティ（nIDMCH）が第1の規定値であるとき、第1の擬似乱数シーケンスを用いて前記第1のPMCH信号をスクランブル化し、
前記第2のPMCH信号に割り当てられた第2のスクランブリングアイデンティティ（nIDMCH）が第2の規定値であるとき、第2の擬似乱数シーケンスを用いて前記第2のPMCH信号をスクランブル化し、
前記複数のUEが前記アグリゲートPMCH信号における前記第1のPMCH信号及び前記第2のPMCH信号を復号化することを可能にするため、前記第1のスクランブリングアイデンティティ（nIDMCH）及び前記第2のスクランブリングアイデンティティ（nIDMCH）を前記複数のUEに通信するよう更に構成される、請求項１記載の装置。
【請求項８】
前記第1のMBSFN  RSに第1のスクランブリングアイデンティティ（nIDRS）を割当て、前記第2のMBSFN  RSに第2のスクランブリングアイデンティティ（nIDRS）を割り当てるよう更に構成され、
前記第1のMBSFN  RSは、前記第1のスクランブリングアイデンティティ（nIDRS）を用いてスクランブル化され、前記第2のMBSFN  RSは、前記第2のスクランブリングアイデンティティ（nIDRS）を用いてスクランブル化され、
前記第1のスクランブリングアイデンティティ（nIDRS）及び前記第2のスクランブリングアイデンティティ（nIDRS）は所定値である、請求項１記載の装置。
【請求項９】
前記第1のPMCH信号と前記第2のPMCH信号との間のリソース要素毎のPMCHエネルギー（EPRE）のレシオは、前記第1のMBSFN  RSと前記第2のMBSFN  RSとの間のMBSFN  RS  EPREのレシオと同じである、請求項１記載の装置。
【請求項１０】
前記第1のPMCH信号は直交振幅変調（QAM）を用いて変調され、前記第1のPMCH信号は前記複数のUEにおける第1のUEについて指定された信号である、請求項１記載の装置。
【請求項１１】
前記第2のPMCH信号は直交位相シフトキーイング（QPSK）を用いて変調され、前記第2のPMCH信号は前記複数のUEにおける第2のUEにおいて有用な信号として利用される干渉である、請求項１記載の装置。
【請求項１２】
マルチメディア・ブロードキャスト・マルチキャスト・サービス（MBMS）のためのマルチユーザ非直交重畳送信を受信するよう動作可能なユーザ装置（UE）の装置であって、当該装置は、
eNodeBからMBMSのためのマルチユーザ非直交重畳送信においてアグリゲート物理マルチキャストチャネル（PMCH）信号を受信し、前記アグリゲートPMCH信号は第2のPMCH信号と多重化される第1のPMCH信号を含み、
前記eNodeBから前記アグリゲートPMCH信号における前記第1のPMCH信号と前記第2のPMCH信号との間の電力分割比を示す電力オフセットパラメータを受信し、
前記eNodeBから前記アグリゲートPMCH信号における前記第1のPMCH信号と前記第2のPMCH信号とのそれぞれの変調符号化方式(MCS)を受信し、
前記eNodeBから前記アグリゲートPMCH信号における前記第1のPMCH信号と前記第2のPMCH信号とのそれぞれのスクランブリングアイデンティティを受信し、
前記UEにおいて前記アグリゲートPMCH信号における前記第1のPMCH信号と前記第2のPMCH信号とのそれぞれの前記電力オフセットパラメータ、前記MCS及び前記スクランブリングアイデンティティを用いて、前記アグリゲートPMCH信号における前記第1のPMCH信号又は前記第2のPMCH信号の少なくとも1つを復号化するよう構成される1つ以上のプロセッサ及びメモリを有し、
前記アグリゲートPMCH信号における前記第1のPMCH信号は、前記アグリゲートPMCH信号における前記第2のPMCH信号の物理リソースブロック（PRB）と時間及び周波数において部分的又は完全に重複するPRBを用いて前記UEにおいて受信され、
前記1つ以上のプロセッサは更に、
前記eNodeBから前記第1のPMCH信号に関連する第1のマルチキャストブロードキャスト単一周波数ネットワーク（MBSFN）リファレンス信号（RS）と前記第2のPMCH信号に関連する第2のMBSFN  RSとを受信し、
前記eNodeBから前記第1のMBSFN  RS及び前記第2のMBSFN  RS信号のそれぞれをスクランブル化するのに用いられるスクランブリングアイデンティティ（nIDRS）を受信し、
前記UEにおいて前記eNodeBから受信されたスクランブリングアイデンティティ（nIDRS）に基づき前記第1のMBSFN  RS又は前記第2のMBSFN  RSの少なくとも1つを復号化するよう構成される装置。
【請求項１３】
前記電力オフセットパラメータは、複数のPMCH信号の間の電力共有をサポートする負のデシベル（dB）値の量子化セットからの規定値を示す、請求項１２記載の装置。
【請求項１４】
前記アグリゲートPMCH信号における前記第1のPMCH信号と前記第2のPMCH信号とのそれぞれの前記電力オフセットパラメータ及び前記MCSは、PMCHコンフィギュレーション情報要素（IE）において前記eNodeBから同時に受信される、請求項１２記載の装置。
【請求項１５】
前記第1のPMCH信号と前記第2のPMCH信号との間のリソース要素毎のPMCHエネルギー（EPRE）のレシオは、前記第1のMBSFN  RSと前記第2のMBSFN  RSとの間のMBSFN  RS  EPREのレシオと同じである、請求項１２記載の装置。
【請求項１６】
前記第1のPMCH信号は直交振幅変調（QAM）を用いて変調され、前記第1のPMCH信号は前記UEについて指定された信号である、請求項１２記載の装置。
【請求項１７】
前記第2のPMCH信号は直交位相シフトキーイング（QPSK）を用いて変調され、前記第2のPMCH信号は前記UEにおいて有用な信号として利用される干渉である、請求項１２記載の装置。
【請求項１８】
前記アグリゲートPMCH信号における前記第1のPMCH信号は上位の変調信号であり、前記アグリゲートPMCH信号における前記第2のPMCH信号は下位の変調信号である、請求項１２記載の装置。
【請求項１９】
マルチメディア・ブロードキャスト・マルチキャスト・サービス（MBMS）のためのeNodeBにおけるマルチユーザ非直交重畳送信をプロセッサに実行させるプログラムであって、
前記eNodeBの少なくとも1つのプロセッサを用いて、第1の変調符号化方式（MCS）によってMBMSのための第1の物理マルチキャストチャネル（PMCH）信号を変調し、
前記eNodeBの少なくとも1つのプロセッサを用いて、第2のMCSによってMBMSのための第2のPMCH信号を変調し、
前記eNodeBの少なくとも1つのプロセッサを用いて、アグリゲートPMCH信号を構成するため、前記第1のPMCH信号及び前記第2のPMCH信号を多重化し、
前記eNodeBの少なくとも1つのプロセッサを用いて、MBMSのためのマルチユーザ非直交重畳を用いて前記アグリゲートPMCH信号を複数のUEに送信させ、
前記アグリゲートPMCH信号における前記第1のPMCH信号は、前記アグリゲートPMCH信号における前記第2のPMCH信号の物理リソースブロック（PRB）と時間及び周波数において部分的又は完全に重複するPRBを用いて送信され、
当該プログラムは更に、
第1のマルチキャストブロードキャスト単一周波数ネットワーク（MBSFN）リファレンス信号（RS）及び第2のMBSFN  RSを特定し、前記第1のMBSFN  RSは前記第1のPMCH信号に関連し、前記第2のMBSFN  RSは前記第2のPMCH信号に関連し、
前記第1のMBSFN  RS及び前記第2のMBSFN  RSを前記アグリゲートPMCH信号と共に前記複数のUEに送信させるプログラム。
【請求項２０】
前記UEが前記アグリゲートPMCH信号を復号化することを可能にするため、電力オフセットパラメータを前記複数のUEに更に送信させ、
前記電力オフセットパラメータは、前記アグリゲートPMCH信号において前記第1のPMCH信号と前記第2のPMCH信号との間の電力分割比を示す、請求項１９記載のプログラム。
【請求項２１】
前記UEが前記アグリゲートPMCH信号を復号化することを可能にするため、電力オフセットパラメータを前記複数のUEに更に送信させ、
前記電力オフセットパラメータは、前記アグリゲートPMCH信号において前記第1のPMCH信号と前記第2のPMCH信号との間の電力分割比を示す、請求項１９記載のプログラム。
【請求項２２】
前記第1のMCS信号及び前記第2のMCS信号を1つ以上のUEに更に送信させ、
前記eNodeBに相対的に近くに配置される第1のUEは、前記アグリゲートPMCH信号における前記第1のPMCH信号及び前記第2のPMCH信号を復調するよう構成され、前記eNodeBから相対的に遠くに配置される第2のUEは、前記アグリゲートPMCH信号における前記第2のPMCH信号のみを復調するよう構成される、請求項１９記載のプログラム。
【請求項２３】
請求項１９乃至２２何れか一項記載のプログラムを記憶するコンピュータ可読記憶媒体。
【発明の詳細な説明】
【背景技術】
【０００１】
無線移動通信技術は、ノード（例えば、送信局）と無線デバイス（例えば、モバイルデバイス）との間でデータを送信するために、様々な規格及びプロトコルを利用する。いくつかの無線デバイスは、ダウンリンク（DL）送信において直交周波数分割多元接続（OFDMA）及びアップリンク（UL）送信においてシングルキャリア周波数分割多元接続（SC-FDMA）を使用して通信する。信号伝送のために直交周波数分割多重（OFDM）を使用する規格及びプロトコルは、第3世代パートナーシッププロジェクト（3GPP）LTE（Long  Term  Evolution）、WiMAX（Worldwide  interoperability  for  Microwave  Access）として業界グループにおいて一般的に知られている米国電気電子学会（IEEE）802.16規格（例えば、802.16e、802.16m）、Wi-Fiとして業界グループにおいて広く知られているIEEE802.11規格を含む。
【０００２】
3GPP無線アクセスネットワーク（RAN）LTEシステムでは、ノードは、E-UTRAN（Evolved  Universal  Terrestrial  Radio  Access  Network）ノードB（一般に、進化型ノードB、エンハンストノードB、eNodeB）と、UE(User  Equipment)として知られる無線デバイスと通信する無線ネットワークコントローラ（RNC）との組み合わせとすることができる。ダウンリンク（DL）送信は、ノード（例えば、eNodeB）から無線デバイス（例えば、UE）への通信とすることができ、アップリンク（UL）送信は、無線デバイスからノードへの通信とすることができる。
【図面の簡単な説明】
【０００３】
開示の特徴及び効果は、開示の特徴を例示的に一緒に示す添付図面と共になされる以下の詳細な説明から明らかであろう。
【図１】図1は、具体例による第1のユーザ装置（UE）及び第2のUEにサービス提供している基地局を示す。
【図２Ａ】図2Aは、具体例による時間又は周波数直交多重を示す。
【図２Ｂ】図2Bは、具体例による時間又は周波数非直交多重を示す。
【図３】図3は、具体例による基地局から複数のユーザ装置（UE）に送信される多重信号のアグリゲートされたコンステレーションを示す。
【図４】図4は、具体例による複数の基地局からのMBMS（Multimedia  Broadcast  Multicast  Service）送信を示す。
【図５】図5は、具体例によるMBSFN（Multicast  Broadcast  Single  Frequency  Network）リファレンス信号のマッピングを示す。
【図６】図6は、具体例によるPMCH（Physical  Multicast  Channel）情報リスト情報要素（IE）を記述するASN(Abstract  Syntax  Notation)コードである。
【図７】図7は、具体例によるMBMSのためのマルチユーザ非直交重畳送信を実行するよう動作可能なeNodeBの機能を示す。
【図８】図8は、具体例によるMBMSのマルチユーザ非直交重畳送信を受信するよう動作可能なユーザ装置（UE）の機能を示す。
【図９】図9は、具体例によるMBMSのeNodeBにおけるマルチユーザ非直交重畳送信を実行するため具体化される命令を有する非一時的なマシーン可読記憶媒体のフローチャートを示す。
【図１０】図10は、具体例による無線デバイス（例えば、UE）の図を示す。  図示された例示的な実施例が参照され、特定の言語がこれを説明するのにここで用いられる。にもかかわらず、本発明の範囲の限定はこれによって意図されるものでないことが理解されるであろう。
【発明を実施するための形態】
【０００４】
本発明が開示及び説明される前、本発明がここに開示される特定の構成、処理アクション又は物質に限定されず、関連技術における当業者によって認識されるようなこれらの均等に拡張されることが理解されるべきである。また、ここで用いられる用語は特定の具体例のみを説明するために用いられ、限定的であることを意図しないことが理解されるべきである。異なる図面における同一の参照番号は同一の要素を表す。フローチャート及び処理において提供される数字は、アクション及び処理を説明する際に明確さのために提供され、特定の順序又はシーケンスを必ずしも示すものでない。
【０００５】
例示的な実施例
技術の実施例の最初の概要が以下に提供され、次に特定の技術の実施例が以降において更に詳細に説明される。この最初の概要は、読者が技術をより迅速に理解するのを助けることを意図しているが、技術の重要な特徴又は必須の特徴を特定することを意図するものでなく、また、請求される主題の範囲を限定することを意図するものでもない。
【０００６】
eNodeBにおいてMBMSのためのマルチユーザ非直交重畳送信を実行するための技術が説明される。eNodeBは、第1の変調符号化方式（MCS）によってMBMSのための第1の物理マルチキャストチャネル（PMCH）信号を変調することができる。eNodeBは、第2のMCSによってMBMS用の第2のPMCH信号を変調することができる。eNodeBは、第1のPMCH信号及び第2のPMCH信号を多重化して、アグリゲートPMCH信号を形成することができる。eNodeBは、MBMSのためのマルチユーザ非直交重畳を利用して、アグリゲートPMCH信号を複数のUEに送信することができる。一例では、アグリゲートPMCH信号における第1のPMCH信号は、アグリゲートPMCH信号における第2のPMCH信号のPRBと時間及び周波数において部分的又は完全に重複する物理リソースブロック（PRB）を利用して送信可能である。
【０００７】
1つの構成において、eNodeBは、アグリゲートPMCH信号における第1のPMCH信号と第2のPMCH信号との間の電力分割比を示す電力オフセットパラメータをUEに送信することができる。eNodeBは、アグリゲートPMCH信号における第1のPMCH信号及び第2のPMCH信号のそれぞれについて、変調符号化方式（MCS）をUEに送信することができる。さらに、eNodeBは、アグリゲートPMCH信号における第1のPMCH信号及び第2のPMCH信号のそれぞれについて、スクランブリングアイデンティティをUEに送信することができる。UEは、アグリゲートPMCH信号における第1のPMCH信号又は第2のPMCH信号の少なくとも1つを、アグリゲートPMCH信号における第1のPMCH信号及び第2のPMCH信号のそれぞれの電力オフセットパラメータ、MCS及びスクランブリングアイデンティティを用いて復号できる。
【０００８】
3GPPリリース10として2011年3月に標準化された従来の3GPP  LTE  Advanced（LTE-A）システムでは、リソースの直交多重化を実行することによって物理チャネルが送信される。例えば、eNodeBがUEのグループに対してスケジューリングを実行するとき、eNodeBは、個別の物理リソースブロック（PRB）など、UEのそれぞれに異なる時間及び周波数リソースを利用することができる。換言すれば、eNodeBは、異なるサブキャリア又は直交周波数分割多元接続（OFDMA）シンボルを利用して、UEに信号を送信することができる。この結果、異なるUEに異なる時間及び周波数リソース（すなわち、異なるPRB）を割り当てることができる。
【０００９】
典型的なLTE-A展開を考慮すると、1つのセルにおけるユーザの分布は、eNodeBとサービス提供されるUEとの間の距離に比較的大きな差を生じさせ、この距離における比較的大きな差は、ダウンリンク送信のスペクトル効率をさらに改善させるため利用可能である。より具体的には、eNodeBが同じ時間及び周波数リソースを用いてUEのグループに対してスケジューリングを実行可能な非直交多重化方式を利用することによって、スペクトル効率が改善可能であるが、eNodeBは、UEのグループに送信される信号の間で電力を分割可能である。eNodeBにおいて実施される非直交多重化方式は、eNodeBからのマルチユーザ重畳送信をもたらしうる。
【００１０】
図1は、第1のユーザ装置（UE）及び第2のUEにサービス提供している基地局の例示的な構成を示す。第1のUEはUE1として参照でき、第2のUEはUE2として参照できる。第1のUEは基地局に比較的近接して配置できるが、第2のUEは基地局から比較的遠くに配置できる。さらに、第1のUE及び第2のUEは、基地局とのそれらの距離によって異なる伝搬損失を有しうる。例えば、第1のUEは、基地局に比較的近接しているために低い伝搬損失を有することができ、第2のUEは、基地局から比較的離れているために高い伝搬損失を有しうる。すなわち、第2のUEは、第1のUEと比較してより高い伝搬損失を受ける可能性がある。
【００１１】
LTE-Aによるシステムでは、基地局は、重複しない時間及び周波数物理リソースブロック（PRB）などの重複しない時間及び周波数リソースを割り当てることによって、OFDMAを用いて第1のUE及び第2のUEにサービス提供することができる。すなわち、基地局は、第1のUE及び第2のUEに、時間及び周波数において重複しない2つの信号を送信することができる。しかしながら、基地局が非直交多重化を利用するとき、eNodeBは、第1のUE及び第2のUEに送信される2つの信号の重畳を利用することができる。eNodeBは、同じ時間及び周波数リソース上で第1のUE及び第2のUEへの信号を多重化することができる。より具体的には、eNodeBは、電力ドメインを利用して2つの信号を多重化することができる。eNodeBは、特定の送信電力（P）に制限されうる。eNodeBは、第1の信号と第2の信号との間で送信電力（P）を分割することができ、それから、eNodeBは、第1のUEと第2のUEとに同じ時間及び周波数リソースにわたってそれぞれ第1及び第2の信号を同時に送信することができる。
【００１２】
一例では、eNodeBがマルチユーザ重畳送信を実行するよう構成されているとき、第1のUE及び第2のUEは同じ時間周波数リソースにおいてサービス提供可能であり、eNodeBの総送信電力は、第1及び第2のUEにそれぞれ指定された第1及び第2の信号のためのP1及びP2に分割可能である。非直交多重化では、第1及び第2の信号は、同じ時間及び周波数リソースにわたって同時に送信可能である。第2のUEは第1のUEと比較して基地局からの伝播損失が大きいので、第1のUEのノイズに対する信号電力は、第2のUEのものより高くなりうる。第1のUEにおいて受信される第1の信号は、有用な信号、第2のUEに送信される第2の信号による信号干渉及び信号ノイズを含みうる。同様に、第2のUEにおいて受信される第2の信号は、有用な信号、第1のUEに送信された第1の信号による信号干渉及び信号ノイズを含みうる。第1の信号は第2のUEに対するセル内干渉を引き起こし、第2の信号は第1のUEに対するセル内干渉を引き起こしうる。
【００１３】
一例では、第1のUEが第2のUEに比較して基地局により近いため（伝播損失がより小さい）、相対的なノイズレベルは、第2のUEと比較して第1のUEについてより低くなりうる。さらに、第1のUEは第2のUEに比較してより低い伝搬損失を有するため、第1のUEに対する信号対干渉雑音比（SINR）は、一般的に第2のUEに対するSINRよりも高い。
【００１４】
一例では、第2のUEと比較して第1のUEが前記基地局により近いことに基づき、第1のUEのために指定された第1の信号には、総送信電力の比較的低い割合が割り当てられ、第2のUEのために指定された第2の信号は、総送信電力の比較的高い割合が割り当てられる。すなわち、基地局と第1のUEとの間の距離が短いほど、第1の信号に割り当てられる電力はより低くなり、基地局と第2のUEとの間の距離が長いほど、第2の信号に割り当てられる電力はより高くなる。
【００１５】
一例では、eNodeBは、第1のUEのための第1の信号を変調するために高次の変調方式を利用することができ、eNodeBは、第2のUEのための第2の信号を変調するために低次の変調方式を利用することができる。一例では、高次の変調方式は16QAM（直交振幅変調）であり、低次の変調方式は直交位相シフトキーイング（QPSK）である。従って、16QAMは、総送信電力のより低い割合が割り当てられた信号（すなわち、第1の信号）を変調するのに利用可能であり、QPSKは、総送信電力のより高い割合が割り当てられた信号（すなわち、第2の信号）を変調するのに利用可能である。この例では、高次の変調方式（すなわち、16QAM）が、基地局に対してより近いUE（すなわち、第1のUE）に対して使用され、低次の変調方式（すなわち、QPSK）が、基地局に対してより遠いUE（すなわち、第2のUE）に対して使用される。
【００１６】
一例では、第1のUEにおいて、QPSKを用いて変調された第2の信号は、第1のUEに対して指定された16QAMを用いて変調された第1の信号に対する与干渉信号である。QPSKは第2の信号の低次の変調であるため、第2の信号は、第1のUEによって復号され、第1の信号を復号する前にキャンセルできる。すなわち、第1のUEは、第1のUEのために指定された第1の信号と第2のUEのために指定された第2の信号との両方を受信することができる。16QAMを用いて変調された第1の信号は、第1のUEへの有用な信号であり、QPSKを用いて変調された第2の信号は、第1のUEへの与干渉信号である。第1のUEは基地局のより近くに配置されているため、第1のUEは、第2の信号（すなわち、QPSKを使用して変調された干渉信号）を復号し、第1の信号（すなわち、16QAMを用いて変調された有用な信号）の復調前に第2の信号をキャンセルできる。
【００１７】
同様に、第2のUEにおいて、16QAMを用いて変調された第1の信号は、第2のUEに対して指定されたQPSKを用いて変調された第2の信号に対する与干渉信号である。しかしながら、16QAMを用いて変調された第1の信号による干渉は通常は重大ではない。いくつかのケースでは、第2のUEにおいて、隣接セルからの干渉は、16QAMを用いて変調された第1の信号によって生成される干渉よりも高くなりうる。従って、16QAMを用いて変調された第1の信号からの干渉は加算的ノイズとみなすことができ、第2のUEは、QPSKを用いて変調された第2の信号を復調するとき、何れかの干渉軽減技術を実行しない。
【００１８】
一例として、第1の信号及び第2の信号の間に変調符号化方式（MCS）及び電力分配（P1及びP2）を適切に割り当てることによって、第1のUE及び第2のUEの双方が信号を受信することができる。より具体的には、第1のUEの相対的なノイズレベルは第2のUEの相対的なノイズレベルよりも低いため、第1のUEはまた、第2のUEの第2の信号も受信することができる。第1のUEは、第2の信号を干渉として扱うことができる。第1のUEは、第1の信号から第2のUEに指定された第2の信号（第1のUEの視点からの干渉である）を減算することができ、第1のUEは、ノイズの存在下で残りの信号を復調することができる。第1のUEのMCSが干渉なしにチャネルの容量を超えない限り、第1のUEは、第1及び第2の信号を受信することができる。
【００１９】
以下でさらに詳細に説明されるように、第1の信号は第1の物理マルチキャストチャネル（PMCH）信号であってもよく、第2の信号は第2のPMCH信号であってもよい。第1及び第2の信号は、LTEにおけるMBMSの一部として第1及び第2のUEにそれぞれ送信することができる。
【００２０】
図2Aは、時間又は周波数直交多重化の具体例を示す。直交多重化は、時間、周波数及び電力の観点から表すことができる。直交多重化では、異なる時間及び周波数リソースが異なるユーザ装置（UE）に割り当てることができる。すなわち、異なる物理リソースブロック（PRB）が異なるUEに割り当てることができる。一例では、時間及び周波数リソースは、eNodeBの総送信電力に従って割り当てられる。
【００２１】
図2Bは、時間又は周波数非直交多重化の具体例を示す。非直交多重化は、時間、周波数及び電力の観点から表すことができる。非直交多重化では、同じ時間及び周波数リソースが異なるユーザ装置（UE）に割り当てることができる。すなわち、同じ物理リソースブロック（PRB）が異なるUEに割り当てることができる。非直交多重化では、eNodeBの総送信電力は、異なるUEに送信される異なる信号の間で分割することができる。非直交多重化では、eNodeBの総送信電力は増加せず、むしろ、電力分配量は異なるUEについて変化する。一例では、LTEにおける非直交多重化は、直交多重化と比較して向上したパフォーマンスを提供できる。
【００２２】
図3は、基地局から複数のユーザ装置（UE）に送信される多重信号のアグリゲートされたコンステレーションの具体例を示す。多重信号は、第1のUEに指定された第1の信号と、第2のUEに指定された第2の信号とを含むことができる。第1のUEは、第2のUEと比較して基地局の近くに配置することができる。一例では、第1の信号は、16QAM（直交振幅変調）などの高次の変調方式を用いて変調可能であり、第2の信号は、直交位相シフトキーイング（QPSK）などの低次の変調方式を用いて変調可能である。
【００２３】
一例では、アグリゲートされたコンステレーションは、16QAMを用いて変調された第1の信号とQPSKを用いて変調された第2の信号との多重化を含むことができる。すなわち、アグリゲートされたコンステレーションは、それぞれ16QAM及びQPSKを用いて変調された第1及び第2の信号の重ね合わせを表すことができる。図3に示されるように、16QAMを用いて変調された第1の信号は16個のポイントによって表され、QPSKを用いて変調された第2の信号は4個のポイントによって表される。QPSKコンステレーションと16QAMコンステレーションにおける全ての可能なポイントの線形結合を取ることによって、アグリゲート（又はコンポジット）コンステレーションが導出可能である。
【００２４】
一例では、アグリゲートされたコンステレーションは、第1の信号と第2の信号との間の電力分割に基づき定義できる。eNodeBに関連する総送信電力（P）は、2つの信号に分割することができる。合計電力の分割は、α1及びα2によって定義できる。重畳送信方式について、伝播状態（すなわち、高い伝播損失又は低い伝播損失）に依存して、α1及びα2は、2つの信号間の電力分割を規定するパラメータである。最適なα1及びα2は、第1のUEと第2のUEとの間の伝搬差に依存しうる。図3に示されるように、16QAMを用いて変調された第1の信号及びQPSKを用いて変調された第2の信号は、10デシベル（dB）の電力差をほぼ有することができる。
【００２５】
一例では、第1のUE又は第2のUEなどの受信機UEは、eNodeBからアグリゲートされたコンステレーションを受信することができ、アグリゲートされたコンステレーションは、16QAMを用いて変調された第1の信号と、QPSKを用いて変調された第2の信号とを含む。受信UEが第1のUEなどの基地局のより近くに配置されているとき、QPSKを用いて変調された第2の信号は第1のUEの干渉信号となる。しかしながら、第2の信号は低次の変調信号（すなわち、QPSKを用いて変調される）であるため、第2の信号は、16QAMを用いて変調された第1の信号の復調前にキャンセルされうる。他方、受信UEが第2のUEのように基地局から遠くに配置されているとき、16QAMを用いて変調された第1の信号は、第2のUEの干渉信号となる。しかしながら、第2のUEにおいて、16QAMを用いて変調された第1の信号による干渉は、一般的に重大でない。いくつかのケースでは、16QAMを用いて変調された第1の信号からの干渉は、隣接セルからの第2のUEにおける干渉より小さくなりうる。従って、第2のUEは、一般に、QPSKを用いて変調された第2の信号を復調するとき、干渉軽減技術を実行しない。
【００２６】
1つの構成では、LTEは、従来のユニキャスト送信に加えて、マルチメディア・ブロードキャスト・マルチキャスト・サービス（MBMS）サービスのサポートを提供する。3GPP  TS  26.346  Release  6-12に規定されているMBMSは、ブロードキャスト及びマルチキャストサービスの効率的な配信を提供するよう設計されたポイント・ツー・マルチポイントインタフェース仕様である。MBMSは、3GPPによって公開されたセルラ規格の1つに従って動作するセルラネットワーク上で利用される。MBMSは、モバイルテレビ（TV）及びラジオ放送と共に、ファイル配信及び緊急警報に適用可能である。いくつかの具体例では、MBMSは、ビデオ送信をUEに送信したり、あるいは、UEがアプリケーションをダウンロードすることを可能にするのに利用可能である。LTE-Aでは、MBMSは、典型的には、同じキャリア周波数を利用して複数の送信ポイント/セルからの同じ情報の同時送信に基づく同期ネットワークにおいて提供される。複数の送信ポイントからの同じ情報の同時送信は、MBMS単一周波数ネットワーク（MBSFN）において行われる。MBSFNにおける同じデータの送信が複数のセル又は送信ポイントによって実行されるため、リソース割り当て及びトランスポートブロックフォーマット（例えば、変調符号化方式、トランスポートブロックサイズ）は、eNodeBによって動的に変更することはできず、マルチキャスト・コーディネーション・エンティティ（MCE）によって長期的に決定される。
【００２７】
図4は、複数の基地局からのマルチメディア・ブロードキャスト・マルチキャスト・サービス（MBMS）送信の具体例を示す。本例では、MBMS送信は、MBMS単一周波数ネットワーク（MBSFN）において行うことができる。MBSFNネットワークは同期化されたネットワークとすることができ、いくつかのダウンリンクサブフレームはMBSFNサブフレームとして構成することができる。これらのMBSFNサブフレームでは、複数のeNodeBは、同じ時間及び周波数リソース（例えば、同じPRB）を用いて、同じ変調順序で同じ情報を送信することができる。すなわち、MBMS送信に利用可能なサブフレームは、無線リソース制御（RRC）シグナリングなどの上位レイヤシグナリングを用いてUEに設定可能なMBSFNサブフレームとして参照できる。
【００２８】
一例では、各MBSFNサブフレームは、1つ又は2つのOFDMシンボルを有する制御領域と、MBSFNサブフレームの残りのOFDMシンボルを占めるMBSFN領域とを含むことができる。MBMSサブフレームの制御領域は、セル固有参照信号（CRS）アンテナポート（0-3）を用いてユニキャスト方式で送信される物理レイヤ制御チャネルを含むことができる。MBMSサブフレームのMBSFN領域は、MBSFNリファレンス信号（アンテナポート4）及び物理マルチキャストチャネル（PMCH）信号を用いてマルチキャスト方式で送信することができる。PMCH信号は、MBMSトラフィック及び制御情報を含むことができ、PMCH信号は、MBSFNリファレンス信号（RS）と共に送信することができる。
【００２９】
一例では、MBSFNリファレンス信号は、PMCH送信の等化に利用可能である。MBSFNリファレンス信号は、PMCHによってアンテナポート4で送信することができ、拡張サイクリックプリフィックス（CP）長に対して定義される。PMCH信号は、MBSFNサブフレームのMBSFN領域において周期的に送信することができる。PMCH信号の変調タイプは、QPSK、16QAM、64QAM又は256QAMであってもよく、MBSFNリファレンス信号の変調タイプはQPSKとすることができる。
【００３０】
一例では、単一周波数ネットワーク（SFN）送信のため、異なる送信ポイントからの信号がUE受信機において合成可能である。ユニキャスト送信と比較して、セルエッジユーザは、MBMSサブフレームエリアにある。いくつかのケースでは、全てのeNodeBが同じ情報を送信しているとは限らない。むしろ、1組のeNodeBのみがMBMSサブフレームエリアにおいて同じ情報を送信する。送信パラメータは、マルチキャスト・コーディネーション・エンティティ（MCE）と呼ばれる特別なエンティティによって制御することができる。このエンティティはPMCHパラメータを制御する。MCEは、UEのための変調符号化方式を設定するだけでなく、MBMS送信を制御することができる。MCEは、どのような種類の変調符号化方式がPMCH送信に使用されるべきかについてeNodeBに通知することができる。
【００３１】
図5は、マルチキャストブロードキャスト単一周波数ネットワーク（MBSFN）リファレンス信号の例示的なマッピングを示す。図5に示されるように、R4として示される参照要素は、MBSFNリファレンス信号を示すことができる。これらのMBSFNリファレンス信号は、典型的には、複数の送信ポイントによって送信される物理マルチキャストチャネル（PMCH）情報と同様の方法で送信することができる。これらのMBSFNリファレンス信号は、MBMS上で受信信号の復調を実行するため、UEが全てのeNodeBからの複合チャネルを推定できるように送信される。
【００３２】
3GPP  TS  36.213  Section  5.2において更に説明されるように、eNodeBは、ダウンリンク電力割り当てを決定することができ、特に、eNodeBは、リソース要素毎のダウンリンク通過エネルギー（EPRE）を決定することができる。PMCH信号が16QAM、64QAM又は256QAMを用いて変調されるとき、MBSFNリファレンス信号の送信電力は、PMCH信号の送信電力と同じである。すなわち、UEは、PMCH  EPREのMBSFN  RS  EPREに対する比が0デシベル（dB）に等しいと想定することができる。
【００３３】
一例では、PMCH送信パラメータは、PMCH情報リスト（PMCH-InfoList）情報要素（IE）を用いてより上位のレイヤシグナリングを介して設定することができ、それは、dataMCS-r12パラメータを介しPMCH送信について用いられるMCSの表示を含む。
【００３４】
ここで説明される技術は、非直交多重化の動作をMBMSに拡張する。すなわち、マルチユーザ重畳送信がMBMSについて実行可能である。PMCH上のマルチユーザ重畳送信は、PMCH信号に対する電力制御シグナリングによって実現することができ、それは、PMCH  EPREのMBSFN  RS  EPREに対する比を示すことができる。PMCH上のマルチユーザ重畳送信は、少なくとも2つのスクランブリングアイデンティティのシグナリングによって実現することができ、スクランブリングアイデンティティは、非直交多重信号に対応する符号化ビットをスクランブル化するため利用される。さらに、PMCH上のマルチユーザ重畳送信は、時間及び周波数において重複する少なくとも2つのPMCH割当てによって実現することができる。
【００３５】
上述されるように、物理マルチキャストチャネル（PMCH）は、マルチメディア・ブロードキャスト・マルチキャスト・サービス（MBMS）を搬送するための物理レイヤ構造を規定する制御チャネルである。PMCHは、システム帯域幅全体にわたって延びるサブフレームにおいて最初の1,2又は3個のOFDMシンボルを占有することができる。QPSK、16QAM又は64QAM変調が、PMCH信号に適用可能である。さらに、PMCHは、マルチキャストチャネル（MCH）を含むことができ、MCHはセルのカバレッジエリア全体でブロードキャストされるべき要求によって特徴付けされる。MCHは、複数のセル上のMBMS送信のMBSFN合成のサポートのサポートによって特徴付けることができる。また、MCHは、例えば、長いサイクリックプリフィックスの時間フレームを用いて半静的リソース割り当てをサポートすることによって特徴付けることができる。
【００３６】
図6は、物理マルチキャストチャネル（PMCH）情報リスト情報要素（IE）を記述する例示的な抽象構文記法（ASN）コードである。PMCH送信パラメータは、PMCH情報リストIEを用いて上位レイヤシグナリングを介し設定可能である。一例では、PMCH情報リストIEは、特定のMBSFNエリアの全てのPMCHの設定を指定することができる。個々のPMCHについて提供される情報は、個々のPMCHによって搬送されるセッションのコンフィギュレーションパラメータを含むことができる。
【００３７】
MBMSにおける以前の解決策に関して、変調符号化方式（MCS）は、UEの大部分に対するPMCH信号の受信を保証するよう選択することができる（例えば、95~97％のUEは、PMCH信号を受信可能であるべきである）。この場合、MCS選択（例えば、QPSK又は16QAMの選択）は、典型的には、ワーストケースのUEに基づく。例えば、高いSNRを有するUEの大部分が存在し、低いSINR及び低い変調次数（例えば、ワーストケースのUE）を有するUEが一部存在する可能性がある。この場合、MCS選択は、低いSINRを有するワーストケースのUEに基づき、これによって、ワーストケースのUEの大多数が依然としてPMCH信号を受信することを保証する。ワーストケースのUEの大多数が確実にPMCH信号を受信するため、低いMCSが選択可能である。この結果、高いSINRを有するUEは、大きなマージンを得ることができる。 MCSは低次であるが、SINRは高いので、PMCH送信のための実際に使用されたMCSと伝搬状態との間には比較的大きな相違がある。
【００３８】
MBMSでは、PMCH信号は、MBMSトラフィック及び制御情報を含むことができ、PMCH信号は、MBSFNリファレンス信号（RS）で送信することができる。1つの構成では、異なるPMCH信号が、MBMSのためのマルチユーザ重畳送信方式に従って多重化され、基地局から複数のUEに送信可能である。例えば、上位のMCSを有する第1のPMCH信号は、下位のMCSを有する第2のPMCH信号と多重化することができる。非直交多重化を利用することによって、第1のPMCH信号及び第2のPMCH信号は、時間及び周波数において部分的又は完全に重複するリソースを用いて送信することができる。上位のMCSを有する第1のPMCH信号に使用される電力の部分は、下位のMCSを有する第2のPMCH信号の送信に利用可能である。一例では、第1のPMCH信号が第1のUEに対して指定することができ、第1のUEは基地局のより近くに位置する。第2のPMCH信号が第2のUEに対して指定することができ、第2のUEは第1のUEに関して基地局からより遠くに位置する。別の例では、第1のPMCH信号に関連する上位のMCSは16QAMであり、第2のPMCH信号に関連する下位のMCSはQPSKである。
【００３９】
一例では、第1のUE（基地局により近い）は、第1のPMCH信号（すなわち、上位の変調信号）及び第2のPMCH信号（すなわち、下位の変調信号）の両方を同時に受信することができる。第1のUEは、第1及び第2のPMCH信号の両方を有用な信号として利用することができる。すなわち、第1のUEは、第1のPMCH信号と第2のPMCH信号との両方を復調することができる。第2のUE（基地局からより離れている）は、第1及び第2のPMCH信号の両方を受信することができるが、第2のUEは、いくつかの追加の信号干渉として第1のPMCH信号を観測することができる。この場合、第2のUEは、第1のPMCH信号ではなく、第2のPMCH信号のみを復号することができる。
【００４０】
一例では、基地局のより近くに位置する第1のUEに関して、下位のMCS（例えば、QPSK）を有する第2のPMCH信号は、第1のUEへの干渉とはみなされない。すなわち、第1のUEは、第2のPMCH信号を有用な信号として使用することができる。従来のマルチユーザ重畳方式と同様に、第1のUEは、上位のMCSによる第1のPMCH信号を受信し、下位のMCSによる第2のPMCH信号を受信することができ、第1のUEは、下位のMCSによる第2のPMCH信号を復号することができる。従来のマルチユーザ重畳方式では、第1のUEは、干渉をキャンセルするためにのみ、下位のMCSによる第2のPMCH信号を復号することができる。しかしながら、マルチユーザ重畳がMBMSに適用されるとき、第1のUEは、上位のMCSを有する第1のPMCH信号と、下位のMCSを有する第2のPMCH信号との両方を有用な信号として使用することができる。従って、有用な情報が第2のPMCH信号と共に第1のPMCH信号に含まれる。
【００４１】
一例では、第1のUEが第2のUEに比べて基地局により近いため（伝播損失がより小さい）、相対ノイズレベルは、第2のUEと比較して第1のUEに対してより低くなりうる。さらに、第1のUEは、第2のUEと比較してより低い伝搬損失を有するため、第1のUEに対する信号対干渉雑音比（SINR）は、一般的に第2のUEに対するSINRよりも高い。
【００４２】
一例では、第2のUEと比較して第1のUEが基地局により近いことに基づき、第1のUEに対して指定された第1のPMCH信号には、基地局に関連する総送信電力の相対的に低い割合が割り当てられ、第2のUEに対して指定された第2のPMCH信号には、総送信電力の相対的に高い部分が割当て可能である。すなわち、基地局と第1のUEとの間の距離が短いほど、第1のPMCH信号に割り当てられる電力はより低くなり、基地局と第2のUEとの間の距離が長いほど、第2のPMCH信号に割り当てられる電力はより高くなる。
【００４３】
一例では、第2のPMCH信号と多重化された第1のPMCH信号は、アグリゲーションコンステレーションとしてUEにおいて基地局から受信することができる。アグリゲートされたコンステレーションは、16QAMを用いて変調された第1のPMCH信号とQPSKを用いて変調された第2のPMCH信号との多重化を含みうる。すなわち、アグリゲートされたコンステレーションは、それぞれ16QAM及びQPSKを用いて変調された第1及び第2のPMCH信号の重ね合わせを表すことができる。アグリゲートされたコンステレーションでは、16QAMを用いて変調された第1PMCH信号は16ポイントで表現され、QPSKを用いて変調された第2PMCH信号は4ポイントで表現される。QPSKコンステレーションと16QAMコンステレーションにおける全ての可能なポイントの線形結合を取ることによって、アグリゲートされた（又は複合）コンステレーションが導出できる。
【００４４】
具体例として、マルチユーザ重畳送信方式は、MBMSにおけるビデオ送信を改善するのに利用可能である。ビデオは複数のレイヤを有してもよい。ベーシックビデオレイヤは、QPSKなどの下位の変調方式を用いて変調された第1のPMCH信号を用いて基地局から送信することができる。さらに、エンハンストビデオレイヤが、16QAMなどの上位の変調方式を用いて変調された第2のPMCH信号を用いて基地局から送信することができる。エンハンストビデオレイヤは、ビデオの品質を向上させるための追加のビットを含めることができる。ベーシックビデオレイヤは、標準品位ビデオ信号に関連付けることができ、エンハンストビデオレイヤは、高品位ビデオ信号に関連付けることができる。低伝搬損失をもたらす基地局に近接して位置する第1のUEは、第1のPMCH信号及び第2のPMCH信号の両方を受信することができる。第1のUEは、ベーシックビデオレイヤの先頭に多重化されたエンハンストビデオレイヤを受信することができる。この結果、第1のUEにおいて受信されたビデオの品質は、第1のUEがベーシックビデオレイヤとエンハンストビデオレイヤとの両方を受信するために向上させることができる。例えば、ベーシックビデオレイヤとエンハンストビデオレイヤとの組み合わせは、高品位ビデオをもたらすことができ、ベーシックビデオレイヤだけでは、標準品位ビデオしかもたらすことができない。他方、基地局からより遠くに位置する第2のUEは、高い伝搬損失をもたらし、ベーシックビデオレイヤに対応する第1のPMCH信号のみしか受信できない。この結果、より遠くに位置する第2のUEは、標準品位ビデオしか受信することしかできない。
【００４５】
1つの構成では、MBSFNにおけるUEは、基地局から多重化されたPMCH信号を受信することができ、ここで、PMCH信号は、同じ物理リソースブロック（PRB）などの同一時間及び周波数リソースを介し送信される。MBMSに関する従来の解決策では、単一のPMCH信号送信のみが可能であったが、現在の技術では、少なくとも2つのPMCH信号が同一の時間及び周波数リソースにわたって送信することができる。一例では、基地局は、UEが基地局から受信した多重化されたPMCH信号を復号/復調することを可能にするため、UEに様々なコンフィギュレーションパラメータを送信することができる。これらのコンフィギュレーションパラメータは、電力割り当て、変調次数及びPMCH信号に対する異なるスクランブリングアイデンティティに関連することができる。電力割り当て、変調次数及びスクランブリングアイデンティティに基づき、UEは、多重化されたPMCH信号を復号することが可能とされる。すなわち、コンフィギュレーションパラメータを介して、基地局は、基地局から受信した多重化されたPMCH信号を適切に復号/復調するようUEを設定することができる。さらに、MBSFNリファレンス信号は、基地局からUEに多重化されたPMCH信号と共に送信することができる。
【００４６】
一例では、電力割り当てシグナリング（又は電力オフセットシグナリング）が、基地局からUEに通知できる。UEが多重化されたPMCH信号を復調するため、UEは、上位のMCS（例えば、16QAM）を有する第1のPMCH信号と下位のMCS（例えば、QPSK）を有する第2のPMCH信号との間の電力分割を知っている必要がある。電力割り当てシグナリングは、第1のPMCH信号に割り当てられた総送信電力の一部（すなわち、利用可能な電力量）及び第2のPMCH信号に割り当てられた総送信電力の一部を示すパラメータを含むことができ、ここで、総送信電力は基地局の能力によって限定される。パラメータの一例は、mch-Paによって表すことができるマルチキャストチャネル（MCH）電力割り当てパラメータである。一例では、電力割り当てシグナリングにおけるパラメータ（例えば、mch-Pa）は、PMCH  Configuration  Release  14（PMCH-Config-r14）の情報要素（IE）を介し基地局からUEに送信することができる。さらに、当該パラメータ（例えば、mch-Pa）は、基地局からUEに送信されるMBSFNリファレンス信号とPMCH信号との間の電力割り当てを規定することができる。パラメータ（例えば、mch-Pa）は、PMCH  EPREのMBSFN  RS  EPREに対するレシオを規定することができる。さらに、パラメータ（例えば、mch-Pa）は、量子化された集合からの値を示すことが可能であり、ここで、量子化された集合は、複数の信号の間の電力共有をサポートするための負のdB値を含むことができる。例えば、パラメータ（例えば、mch-Pa）は、{dB-9,dB-6,dB-4dot77,dB-3,dB-1dot77,dB0,dB3,dB6}の値の集合によるENUMERATEDとして定義することができる。
【００４７】
一例では、MCS割当シグナリングは、基地局からUEに通知できる。MCS割り当てシグナリングは、複数のPMCH信号に用られる変調符号化方式を示す、Data  MCS  Release  14（dataMCS-r14）パラメータなどの追加のMCSパラメータを含むことができる。一例では、MCS割当シグナリングは、変調符号化方式の2つのインスタンスを含むことができ、ここで、各インスタンスは、特定のPMCH信号に関して適用される変調符号化方式（例えば、QPSK、16QAM変調に対応する）を示す。従来の解決策では、MCS割り当てシグナリングは、変調符号化方式の1つのインスタンスしか含まず、1つのPMCH信号しか所与のリソース割当を介して送信されないためである。
【００４８】
一例では、電力割り当てシグナリングは、（第1のPMCH信号又は第2のPMCH信号のいずれかに対する）PMCH  EPREのMBSFN  RSに対するレシオを示すことができる。さらに、電力割り当てシグナリングは、遠方のUE（すなわち、基地局から相対的により遠くに位置するUE）のPMCH  EPREに対する近くのUE（すなわち、基地局に相対的により近くに位置するUE）のPMCH EPREのレシオを示すことができる。すなわち、電力割り当てシグナリングは、（近くのUEに関連する）第1のPMCH信号と（遠方のUEに関連する）第2のPMCH信号との間の電力オフセットを示すことができる。
【００４９】
一例では、MCS割り当てシグナリングは、電力割り当てシグナリングと組み合わせ可能である。すなわち、MCSは、UEが各PMCH信号に対してどの程度の電力が割り当てられているかと、各PMCH信号に関連する変調のタイプが分かるように、電力オフセットと共に通知できる。一例では、PMCH  Configuration  Release  14（PMCH-Config）の一部として、電力割り当て（例えば、mch-Pa）の少なくとも2つのインスタンスと、MCS（例えば、dataMCS-r14）の少なくとも2つのインスタンスとがUEに通知でき、ここで、dataMCS-r12及びmch-Pa-r14の各インスタンスは、他のPMCH信号と同じ割り当てで多重化されたPMCH信号パラメータを記述するのに使用される。あるいは、別個のPMCH-Config-r14  IEがUEに通知でき、ここで、第1のPMCH-Config-r14  IEは電力割り当て用であり、第2のPMCH-Config-r14  IEはMCS割り当て用である。
【００５０】
一例では、UEは2つの多重化MBSFNサブフレームリファレンス信号に基づき電力オフセットを決定し、電力オフセット情報は2つのMBSFNサブフレームリファレンス信号に符号化することができる。具体例として、2つのMBSFNサブフレームリファレンス信号が、各PMCH信号に関連付けることができる。2つのMBSFNサブフレームリファレンス信号の間の電力分割は、2つのPMCH信号の間の電力分割と同一とすることができる。UEがこれらの2つのMBSFNサブフレームリファレンス信号に対する推定を実行すると、各MBSFNサブフレームリファレンス信号に対するチャネル推定はまた、電力スケーリングを含むことができる。この場合、電力スケーリングはチャネル推定の一部とすることができるため、電力分割情報をUEに通知する必要はない。
【００５１】
一例では、基地局は、各PMCH信号に対してスクランブリングアイデンティティを設定可能である。異なるスクランブリングアイデンティティnIDMCHが、変調前に符号化ビットをスクランブル化するため、２つのPMCH信号に対して割当て可能である。nIDMCHパラメータは擬似乱数シーケンスの初期化を規定することが可能であり、nIDMCHパラメータは、基地局とUEとの間の上位レイヤシグナリングを用いて通知可能である。あるいは、nIDMCHパラメータは仕様において予め規定可能である。UEに通知されるスクランブリングアイデンティティに基づき、UEは、PMCH信号のそれぞれを復調/復号することができる。一例では、nIDMCH=0,1の２つの所定値が、同一のリソース割当てにおいて多重化される第1及び第2のPMCH信号について利用可能である。すなわち、各PMCH信号の所定のスクランブリングアイデンティティは、既存の擬似乱数初期値とi=0又はi=1との和によって決定可能であり、ここで、iは非直交多重化されたPMCH信号のインデックスである。
【００５２】
一例では、nIDMCHパラメータには、0又は1の２つの所定値が割当て可能である。例えば、第1のPMCH信号は、nIDMCHパラメータが0に等しいときに生成されるランダムシーケンスによって変調可能である。第2のPMCH信号は、nIDMCHパラメータが1に等しいときに生成されるランダムシーケンスによって変調可能である。初期値及び異なるnIDMCHパラメータ値を用いることによって実現される異なるスクランブリングコードを利用することによって、UEは、同一のリソース要素に多重化される2つのPMCH信号からの干渉を抑制可能である。
【００５３】
一例では、nIDMCHパラメータは、スクランブリング生成器の初期化を決定するのに利用可能である。各コードワードqに対して、
【００５４】
【数１】
0006701221.tif 000002
のビットのブロックが変調前にスクランブル化され、ここで、Mbit(q)は1つのサブフレームにおいて物理チャネル上で送信されるコードワードqにおけるビット数であり、
【００５５】
【数２】
0006701221.tif 000003
に従って、スクランブル化されたビットのブロック
【００５６】
【数３】
0006701221.tif 000004
をもたらし、ここで、スクランブリングシーケンスc(q)(i)はClause  7.2によって与えられる。スクランブリングシーケンス生成器は、各サブフレームのスタートにおいて初期化され、ここで、cinitの初期値は、
【００５７】
【数４】
0006701221.tif 000005
に従ってトランスポートチャネルタイプに依存し、ここで、nRNTIは、3GPP  TS  36.213  Clause  7.1に更に説明されるように、PDSCH送信に関連するRNTIに対応する。
【００５８】
一例では、基地局は、UEに対して同一のサブフレームにおける2つ以上の多重化されたMBSFNリファレンス信号を設定可能である。各MBSFNリファレンス信号は、同一のサブフレームにある2つ（又はそれ以上）の非直交多重化PMCH信号の１つに関連付けできる。より詳細には、基地局は、各MBSFNリファレンス信号についてスクランブリングアイデンティティを設定可能である。nIDRSパラメータは擬似ランダムシーケンスの初期化を規定でき、nIDRSパラメータは基地局とUEとの間の上位レイヤシグナリングを用いて通知可能である。あるいは、nIDRSパラメータは仕様において予め規定できる。UEに通知されるスクランブリングアイデンティティに基づき、UEは、MBSFNリファレンス信号のそれぞれを復調/復号可能である。一例では、nIDRS=0,1の2つの所定値が、同一のリソース割当てにおいて多重化された第1及び第2のMBSFNリファレンス信号（又は第1及び第2のPMCH信号）について利用可能である。すなわち、所定のスクランブリングアイデンティティが、各MBSFNリファレンス信号を変調するのに利用可能であり、ここで、所定のスクランブリングアイデンティティは、既存の擬似乱数初期値とi=0又はi=1との和によって決定可能であり、ここで、iは非直交多重化されたPMCH信号のインデックスである。
【００５９】
従って、同一のサブフレームにおける2つのMBSFNサブフレームリファレンス信号の多重化のサポートは、0又は1の2つの所定値が割当て可能である追加のスクランブリングパラメータ又はnIDRSを導入することによって実現可能である。例えば、第1のMBSFNリファレンス信号は、nIDRSパラメータが0に等しいときに生成されるランダムシーケンスによって変調可能である。第2のMBSFNリファレンス信号は、nIDRSパラメータが1に等しいときに生成されるランダムシーケンスによって変調可能である。初期値及び異なるnIDRSパラメータ値を用いることによって実現される異なるスクランブリングコードを利用することによって、チャネル推定のためのUEは、他のMBSFNリファレンス信号と同じリソース要素において多重化される1つのMBSFNリファレンス信号からの干渉を抑制可能である。
【００６０】
一例では、nIDRSパラメータを利用することによって、異なるMBSFNリファレンス信号が、擬似乱数生成器の異なる初期化を利用することによって取得可能であり、ここで、擬似乱数生成器はMBSFN  RS変調のビットシーケンスを生成するのに利用可能である。例えば、MBSFNリファレンス信号は、PMCH信号が送信されるときに限って、MBSFNサブフレームのMBSFN領域において送信可能である。MBSFNリファレンス信号は、アンテナポート4上で送信可能である。MBSFNリファレンス信号は、拡張されたサイクリックプリフィックスのみについて定義される。一例では、MBSFNリファレンス信号シーケンス
【００６１】
【数５】
0006701221.tif 000006
は、
【００６２】
【数６】
0006701221.tif 000007
によって定義され、ここで、nSは無線フレーム内のスロット数であり、lはスロット内のOFDMシンボル数である。擬似乱数シーケンスc(i)は、3GPP  TS  36.213  Clause  7.2において更に定義される。擬似乱数シーケンス生成器は、各OFDMシンボルのスタートにおいて、
【００６３】
【数７】
0006701221.tif 000008
により初期化できる。
【００６４】
別の例は、図7のフローチャートに示されるように、マルチメディア・ブロードキャスト・マルチキャスト・サービス（MBMS）のためのマルチユーザ非直交重畳送信を実行するよう動作可能なeNodeBの機能700を提供する。当該機能は方法として実現可能であり、あるいは、当該機能はマシーン上の命令として実行可能であり、ここで、当該命令は、少なくとも1つのコンピュータ可読媒体又は1つの非一時的なマシーン可読記憶媒体に含まれる。eNodeBは、ブロック710のように、第1の変調符号化方式（MCS）によってMBMSのための第1の物理マルチキャストチャネル（PMCH）信号を変調するよう構成された1つ以上のプロセッサを備えることができる。eNodeBは、ブロック720のように、第2のMCSによってMBMSの第2のPMCH信号を変調するよう構成された1つ以上のプロセッサを備えることができる。eNodeBは、ブロック730のように、第1のPMCH信号及び第2のPMCH信号を多重化してアグリゲートPMCH信号を形成するよう構成される1つ以上のプロセッサを備えることができる。eNodeBは、ブロック740のように、MBMSのためのマルチユーザ非直交重畳を利用してアグリゲートPMCH信号を複数のUEに送信するよう構成された1つ以上のプロセッサを含むことができ、アグリゲートPMCH信号における第1のPMCH信号は、アグリゲートPMCH信号における第2のPMCH信号のPRBと時間及び周波数において部分的又は完全に重複する物理リソースブロック（PRB）を用いて送信される。
【００６５】
別の例は、図8のフローチャートに示されるように、マルチメディア・ブロードキャスト・マルチキャスト・サービス（MBMS）のためのマルチユーザ非直交重畳送信を受信するよう動作可能なユーザ装置（UE）の機能800を提供する。当該機能は方法として実現可能であり、あるいは、当該機能はマシーン上の命令として実行可能であり、ここで、当該命令は、少なくとも1つのコンピュータ可読媒体又は1つの非一時的なマシーン可読記憶媒体に含まれる。UEは、eNodeBからMBMSのためのマルチユーザ非直交重畳送信においてアグリゲート物理マルチキャストチャネル（PMCH）信号を受信するよう構成された1つ以上のプロセッサを含むことができ、アグリゲートPMCH信号は、ブロック810のように、第2のPMCH信号と多重化された第1のPMCH信号を含む。UEは、ブロック820のように、eNodeBからアグリゲートPMCH信号における第1のPMCH信号と第2のPMCH信号との間の電力分割比を示す電力オフセットパラメータを受信するよう構成された1つ以上のプロセッサを備えることができる。UEは、ブロック830のように、eNodeBからアグリゲートPMCHにおける第1のPMCH信号及び第2のPMCH信号のそれぞれについて変調符号化方式（MCS）を受信するよう構成された1つ以上のプロセッサを備えることができる。UEは、ブロック840のように、eNodeBからアグリゲートPMCH信号における第1のPMCH信号及び第2のPMCH信号のそれぞれのスクランブリングアイデンティティを受信するよう構成された1つ以上のプロセッサを備えることができる。UEは、ブロック850のように、電力オフセットパラメータ、MCS及びアグリゲートPMCH信号における第1のPMCH信号と第2のPMCH信号とのそれぞれのスクランブリングアイデンティティを用いて、アグリゲートPMCH信号における第1のPMCH信号又は第2のPMCH信号の少なくとも1つをUEにおいて復号するよう構成された1つ以上のプロセッサを含むことができ、ここで、アグリゲートPMCH信号における第1のPMCH信号は、アグリゲートPMCH信号における第2のPMCH信号のPRBと時間及び周波数と部分的又は完全に重複する物理リソースブロック（PRB）を用いてUEにおいて受信される。
【００６６】
別の例は、図9のフローチャートに示されるように、マルチメディア・ブロードキャスト・マルチキャスト・サービス（MBMS）のためにeNodeBにおいてマルチユーザ非直交重畳送信を実行するための命令900を具えた少なくとも1つの非一時的なマシーン可読記憶媒体を提供する。当該方法は、命令が少なくとも1つのコンピュータ可読媒体又は1つの非一時的なマシーン可読記憶媒体に含まれるマシーン上の命令として実行することができる。実行時、当該命令は、ブロック910のように、eNodeBの少なくとも1つのプロセッサを用いて、第1の変調符号化方式（MCS）によってMBMSの第1の物理マルチキャストチャネル（PMCH）信号を変調することを実行する。実行時、当該命令は、ブロック920のように、eNodeBの少なくとも1つのプロセッサを用いて、第2のMCSによってMBMSの第2のPMCH信号を変調することを実行する。実行時、当該命令は、ブロック930のように、eNodeBの少なくとも1つのプロセッサを用いて、アグリゲートPMCH信号を形成するため、第1のPMCH信号及び第2のPMCH信号を多重化することを実行する。実行時、当該命令は、ブロック940のように、eNodeBの少なくとも1つのプロセッサを用いて、MBMSのためのマルチユーザ非直交重畳を用いて複数のUEにアグリゲートPMCH信号を送信することを実行し、ここで、アグリゲートPMCH信号における第1のPMCH信号は、アグリゲートPMCH信号における第2のPMCH信号のPRBと時間及び周波数において部分的又は完全に重複する物理リソースブロック（PRB）を用いて送信される。
【００６７】
図10は、無線デバイス、移動局（MS）、移動無線デバイス、移動通信デバイス、タブレット、ハンドセット又は他のタイプの無線デバイスなどのユーザ装置（UE）デバイス1000の例示的な図を提供する。UEデバイス1000は、基地局（BS）、進化型ノードB（eNB）、ベースバンドユニット（BBU）、遠隔無線ヘッド（RRH）、遠隔無線装置（RRE）、中継局（RS）、無線装置（RE）、遠隔無線ユニット（RRU）、中央処理モジュール（CPM）又は他のタイプの無線ワイドエリアネットワーク（WWAN）アクセスポイントなどのノード又は送信局と通信するよう構成された1つ以上のアンテナを含むことができる。UEデバイス1000は、3GPP  LTE、WiMAX、高速パケットアクセス（HSPA）、ブルートゥース（登録商標）及びWiFiを含む少なくとも1つの無線通信規格を用いて通信するよう構成することができる。UEデバイス1000は、各無線通信規格の別々のアンテナ又は複数の無線通信規格の共有アンテナを用いて通信することができる。UEデバイス1000は、無線ローカルエリアネットワーク（WLAN）、無線パーソナルエリアネットワーク（WPAN）及び/又はWWANにおいて通信することができる。
【００６８】
いくつかの実施例では、UEデバイス1000は、図示されるように少なくとも一緒に結合される、アプリケーション回路1002、ベースバンド回路1004、無線周波数（RF）回路1006、フロントエンドモジュール（FEM）回路1008及び1つ以上のアンテナ1010を含んでもよい。
【００６９】
アプリケーション回路1002は、1つ以上のアプリケーションプロセッサを含んでもよい。例えば、アプリケーション回路1002は、限定ではないが、1つ以上のシングルコア又はマルチコアプロセッサなどの回路を含んでもよい。プロセッサは、汎用プロセッサと専用プロセッサ（例えば、グラフィックプロセッサ、アプリケーションプロセッサなど）との任意の組み合わせを含んでもよい。プロセッサは、メモリ/ストレージと結合されてもよく、及び/又は含まれてもよく、様々なアプリケーション及び/又はオペレーティングシステムがシステム上で実行されることを可能にするためにメモリ/ストレージに記憶された命令を実行するよう構成されてもよい。
【００７０】
ベースバンド回路1004は、限定されないが、1つ以上のシングルコア又はマルチコアプロセッサなどの回路を含んでもよい。ベースバンド回路1004は、RF回路1006の受信信号経路から受信したベースバンド信号を処理し、RF回路1006の送信信号経路用のベースバンド信号を生成する1つ以上のベースバンドプロセッサ及び/又は制御ロジックを含んでもよい。ベースバンド処理回路は、ベースバンド信号の生成及び処理と、RF回路1006の処理の制御のためアプリケーション回路1002とインタフェースをとってもよい。例えば、いくつかの実施例では、ベースバンド回路1004は、第2世代（2G）のベースバンドプロセッサ1004aと、第3世代（3G）のベースバンドプロセッサ1004bと、第4世代（4G）のベースバンドプロセッサ1004c及び/又は他の既存の世代、開発中の世代又は将来開発される世代（例えば、第5世代（5G）、6Gなど）のための他のベースバンド回路1004dを含んでもよい。ベースバンド回路1004（例えば、ベースバンドプロセッサ1004a〜dの1つ以上）は、RF回路1006を介し1つ以上の無線ネットワークとの通信を可能にする様々な無線制御機能を処理してもよい。無線制御機能は、限定することなく、信号変調/復調、符号化/復号化、無線周波数シフトなどを含んでもよい。いくつかの実施例では、ベースバンド回路1004の変調/復調回路は、高速フーリエ変換（FFT）、プリコーディング及び/又はコンステレーションマッピング/デマッピング機能を含んでもよい。いくつかの実施例では、ベースバンド回路1004の符号化/復号化回路は、畳み込み、tail-biting畳み込み、ターボ、Viterbi及び/又は低密度パリティチェック（LDPC）エンコーダ/デコーダ機能を含んでもよい。変調/復調及びエンコーダ/デコーダ機能の実施例は、これらの具体例に限定されず、他の実施例における他の適切な機能を含んでもよい。
【００７１】
いくつかの実施例では、ベースバンド回路1004は、例えば、物理（PHY）、媒体アクセス制御（MAC）、無線リンク制御（RLC）、パケットデータコンバージェンスプロトコル（PDCP）及び/又は無線リソース制御（RRC）要素を含むEUTRAN（Evolved  Universal  Terrestrial  Radio  Access  Network）プロトコルの要素など、プロトコルスタックの要素を含んでもよい。ベースバンド回路1004の中央処理ユニット（CPU）1004eは、PHY、MAC、RLC、PDCP及び/又はRRCレイヤのシグナリングのためにプロトコルスタックの要素を実行するよう構成されてもよい。いくつかの実施例では、ベースバンド回路は、1つ以上のオーディオデジタル信号プロセッサ（DSP）104fを含んでもよい。オーディオDSP  104fは、圧縮/伸張及びエコー消去のための要素を含んでもよく、他の実施例では、他の適切な処理要素を含んでもよい。ベースバンド回路のコンポーネントは、いくつかの実施例では、単一のチップ、単一のチップセットに適切に組み合わされてもよいし、あるいは、同じ回路基板上に配置されてもよい。いくつかの実施例では、ベースバンド回路1004及びアプリケーション回路1002の構成要素となるコンポーネントの一部又は全ては、例えば、システムオンチップ（SOC）などのように一緒に実装されてもよい。
【００７２】
いくつかの実施例では、ベースバンド回路1004は、1つ以上の無線技術と互換性のある通信を提供してもよい。例えば、いくつかの実施例では、ベースバンド回路1004は、EUTRAN及び/又は他の無線メトロポリタンエリアネットワーク（WMAN）、無線ローカルエリアネットワーク（WLAN）、無線パーソナルエリアネットワーク（WPAN）との通信をサポートしうる。ベースバンド回路1004が複数の無線プロトコルの無線通信をサポートするよう構成された実施例は、マルチモードベースバンド回路として参照されてもよい。
【００７３】
RF回路1006は、非固体媒体を介し変調された電磁放射を用いて無線ネットワークとの通信を可能にしてもよい。様々な実施例では、RF回路1006は、無線ネットワークとの通信を実現するためのスイッチ、フィルタ、増幅器などを含んでもよい。RF回路1006は、FEM回路1008から受信したRF信号をダウンコンバートし、ベースバンド回路1004にベースバンド信号を提供する回路を含みうる受信信号経路を含んでもよい。RF回路1006はまた、ベースバンド回路1004によって提供されるベースバンド信号をアップコンバートし、送信のためにFEM回路1008にRF出力信号を供給する回路を含みうる送信信号経路を含んでもよい。
【００７４】
いくつかの実施例では、RF回路1006は、受信信号経路及び送信信号経路を含んでもよい。RF回路1006の受信信号経路は、ミキサ回路1006a、増幅回路1006b及びフィルタ回路1006cを含んでもよい。RF回路1006の送信信号経路は、フィルタ回路1006c及びミキサ回路1006aを含んでもよい。RF回路1006はまた、受信信号経路及び送信信号経路のミキサ回路1006aによる利用のため周波数を合成する合成回路1006dを含んでもよい。いくつかの実施例では、受信信号経路のミキサ回路1006aは、合成回路1006dによって提供される合成周波数に基づき、FEM回路1008から受信したRF信号をダウンコンバートするよう構成されてもよい。増幅回路1006bは、ダウンコンバートされた信号を増幅するよう構成されてもよく、フィルタ回路1006cは、ダウンコンバートされた信号から不要な信号を除去して、出力ベースバンド信号を生成するローパスフィルタ（LPF）又はバンドパスフィルタ（BPF）であってもよい。出力ベースバンド信号は、さらなる処理のためベースバンド回路1004に提供されてもよい。いくつかの実施例では、出力ベースバンド信号は、ゼロ周波数のベースバンド信号であってもよいが、これは必須ではない。いくつかの実施例では、受信信号経路のミキサ回路1006aはパッシブミキサを含んでもよいが、実施例の範囲はこれに限定されない。
【００７５】
いくつかの実施例では、送信信号経路のミキサ回路1006aは、合成回路1006dによって提供された合成周波数に基づき入力ベースバンド信号をアップコンバートして、FEM回路1008のRF出力信号を生成するよう構成されてもよい。ベースバンド信号は、ベースバンド回路1004によって提供されてもよく、フィルタ回路1006cによってフィルタリングされてもよい。実施例の範囲はこれに限定されないが、フィルタ回路1006cはローパスフィルタ（LPF）を含んでもよい。
【００７６】
いくつかの実施例では、受信信号経路のミキサ回路1006a及び送信信号経路のミキサ回路1006aは、2つ以上のミキサを含み、直交ダウンコンバージョン及び/又はアップコンバージョンのためにそれぞれ配置されてもよい。いくつかの実施例では、受信信号経路のミキサ回路1006a及び送信信号経路のミキサ回路1006aは、2つ以上のミキサを含み、画像拒絶（例えば、Hartley画像拒絶）のために配置されてもよい。いくつかの実施例では、受信信号経路のミキサ回路1006a及びミキサ回路1006aは、それぞれダイレクトダウンコンバージョン及び/又はダイレクトアップコンバージョンのために配置されてもよい。いくつかの実施例では、受信信号経路のミキサ回路1006a及び送信信号経路のミキサ回路1006aは、スーパーヘテロダイン処理のため構成されてもよい。
【００７７】
いくつかの実施例では、出力ベースバンド信号及び入力ベースバンド信号は、アナログベースバンド信号であってもよいが、実施例の範囲はこれに限定されない。いくつかの代替の実施例では、出力ベースバンド信号及び入力ベースバンド信号は、デジタルベースバンド信号であってもよい。これらの代替の実施例では、RF回路1006は、アナログ-デジタル変換器（ADC）及びデジタル-アナログ変換器（DAC）回路を含み、ベースバンド回路1004は、RF回路1006と通信するためのデジタルベースバンドインターフェースを含んでもよい。
【００７８】
いくつかのデュアルモードの実施例では、各スペクトルの信号を処理するために別個の無線IC回路が設けられてもよいが、実施例の範囲はこれに限定されない。
【００７９】
いくつかの実施例では、合成回路1006dは、フラクショナルNシンセサイザ又はフラクショナルN/N+1シンセサイザであってもよいが、他のタイプの周波数シンセサイザが適しているとき、実施例の範囲はこれに限定されない。例えば、合成回路1006dは、デルタシグマシンセサイザ、周波数倍数器又は分周器を備えた位相同期ループを含むシンセサイザであってもよい。
【００８０】
合成回路1006dは、周波数入力及び分周器制御入力に基づき、RF回路1006のミキサ回路1006aによって使用される出力周波数を合成するよう構成されてもよい。いくつかの実施例では、合成回路1006dは、フラクショナルN/N+1シンセサイザであってもよい。
【００８１】
いくつかの実施例では、周波数入力は電圧制御発振器（VCO）によって提供されてもよいが、それは必須ではない。分周器制御入力は、所望の出力周波数に応じてベースバンド回路1004又はアプリケーションプロセッサ1002のいずれかによって提供されてもよい。いくつかの実施例では、分周器制御入力（例えば、N）は、アプリケーションプロセッサ1002によって指示されたチャネルに基づきルックアップテーブルから決定されてもよい。
【００８２】
RF回路1006の合成回路1006dは、分周器、遅延同期ループ（DLL）、マルチプレクサ及び位相アキュムレータを含んでもよい。いくつかの実施例では、分周器はデュアルモジュラスディバイダ（DMD）であってもよく、位相アキュムレータはデジタル位相アキュムレータ（DPA）であってもよい。いくつかの実施例では、DMDは、フラクショナル分周比を提供するため、入力信号をN又はN+1の何れかによって（例えば、キャリーアウトに基づき）分割するように構成されてもよい。いくつかの例示的な実施例では、DLLは、カスケード接続された調整可能な遅延素子、位相検出器、チャージポンプ及びD型フリップフロップのセットを含んでもよい。これらの実施例では、遅延素子は、VCO期間をNd個の等しい位相のパケットに分割するよう構成されてもよく、ここで、Ndは遅延線における遅延素子の数である。このように、DLLは負帰還を提供し、遅延ラインを通る総遅延が1つのVCOサイクルになることを保証することを支援する。
【００８３】
いくつかの実施例では、合成回路1006dは、出力周波数としてキャリア周波数を生成するよう構成されてもよく、他の実施例では、出力周波数は、キャリア周波数の倍数（例えば、キャリア周波数の2倍、キャリア周波数の4倍）であり、互いに複数の異なる位相を有する複数の信号をキャリア周波数として生成するため、直交発生器及び分周器回路と共に利用されてもよい。いくつかの実施例では、出力周波数はLO周波数（fLO）であってもよい。いくつかの実施例では、RF回路1006はIQ/ポーラコンバータを含んでもよい。
【００８４】
FEM回路1008は、1つ以上のアンテナ1010から受信したRF信号で動作し、受信信号を増幅し、受信信号の増幅されたバージョンをRF回路1006にさらなる処理のため提供するよう構成された回路を含みうる受信信号経路を含んでもよい。FEM回路1008はまた、1つ以上のアンテナ1010の1つ以上による送信のためにRF回路1006によって提供される送信用の信号を増幅するよう構成される回路を含みうる送信信号経路を含んでもよい。
【００８５】
いくつかの実施例では、FEM回路1008は、送信モードと受信モード動作との間で切り替えるためのTX/RXスイッチを含んでもよい。FEM回路は、受信信号経路及び送信信号経路を含んでもよい。FEM回路の受信信号経路は、受信されたRF信号を増幅し、増幅された受信RF信号を出力として（例えば、RF回路1006に）提供する低ノイズ増幅器（LNA）を含んでもよい。FEM回路1008の送信信号経路は、（例えば、RF回路1006によって提供される）入力RF信号を増幅するための電力増幅器（PA）と、以降の送信のためにRF信号を生成する1つ以上のフィルタ（例えば、1つ以上のアンテナ1010の1つ以上によって）とを含んでもよい。
【００８６】
いくつかの実施例では、UEデバイス1000は、例えば、メモリ/ストレージ、ディスプレイ（例えば、タッチ画面）、カメラ、アンテナ、キーボード、マイクロフォン、スピーカ、センサ及び/又は入出力（I/O）インタフェースなどの更なる要素を含んでもよい。
【００８７】
具体例
以下の具体例は、特定の発明の実施例に関し、このような実施例を実現する際に利用又は組み合わせ可能な特定の特徴、要素又はステップを指摘する。
【００８８】
具体例1は、マルチメディア・ブロードキャスト・マルチキャスト・サービス（MBMS）のためのマルチユーザ非直交重畳送信を実行するよう動作可能なeNodeBの装置を含み、当該装置は、第1の変調符号化方式（MCS）によってMBMSのための第1の物理マルチキャストチャネル（PMCH）信号を変調し、第2のMCSによってMBMSのための第2のPMCH信号を変調し、アグリゲートPMCH信号を構成するため、第1のPMCH信号及び第2のPMCH信号を多重化し、MBMSのためのマルチユーザ非直交重畳を用いてアグリゲートPMCH信号を複数のUEに送信するよう構成される1つ以上のプロセッサ及びメモリを有し、アグリゲートPMCH信号における第1のPMCH信号は、アグリゲートPMCH信号における第2のPMCH信号の物理リソースブロック（PRB）と時間及び周波数において部分的又は完全に重複するPRBを用いて送信される。
【００８９】
具体例2は、具体例1の装置を含み、UEがアグリゲートPMCH信号を復号化することを可能にするため、電力オフセットパラメータを複数のUEに送信するよう更に構成され、電力オフセットパラメータは、アグリゲートPMCH信号において第1のPMCH信号と第2のPMCH信号との間の電力分割比を示す。
【００９０】
具体例3は、具体例1〜2の何れかの装置を含み、電力オフセットパラメータは、第1のPMCH信号と第2のPMCH信号のマルチキャストブロードキャスト単一周波数ネットワーク（MBSFN）リファレンス信号(RS)のEPREに対するリソース要素毎のPMCHエネルギー（EPRE）のレシオを示す。
【００９１】
具体例4は、具体例1〜3の何れかの装置を含み、電力オフセットパラメータは、複数のPMCH信号の間の電力共有をサポートする負のデシベル（dB）値の量子化セットからの規定値を示す。
【００９２】
具体例5は、具体例1〜4の何れかの装置を含み、第1のMCS及び第2のMCSを1つ以上のUEに送信するよう更に構成され、eNodeBに相対的に近くに配置される第1のUEは、アグリゲートPMCH信号における第1のPMCH信号及び第2のPMCH信号を復調するよう構成され、eNodeBから相対的に遠くに配置される第2のUEは、アグリゲートPMCH信号における第2のPMCH信号のみを復調するよう構成される。
【００９３】
具体例6は、具体例1〜5の何れかの装置を含み、PMCHコンフィギュレーション情報要素（IE）を用いて複数のUEに電力オフセットパラメータ、第1のMCS及び第2のMCSを送信するよう更に構成され、電力オフセットパラメータ及びMCSの２つのインスタンスは、UEがアグリゲートPMCH信号における第1のPMCH信号及び第2のPMCH信号を復号化することを可能にする。
【００９４】
具体例7は、具体例1〜6の何れかの装置を含み、第1のPMCH信号に割り当てられた第1のスクランブリングアイデンティティ（nIDMCH）が第1の規定値であるとき、第1の擬似乱数シーケンスを用いて第1のPMCH信号をスクランブル化し、第2のPMCH信号に割り当てられた第2のスクランブリングアイデンティティ（nIDMCH）が第2の規定値であるとき、第2の擬似乱数シーケンスを用いて第2のPMCH信号をスクランブル化し、複数のUEがアグリゲートPMCH信号における第1のPMCH信号及び第2のPMCH信号を復号化することを可能にするため、第1のスクランブリングアイデンティティ（nIDMCH）及び第2のスクランブリングアイデンティティ（nIDMCH）を複数のUEに通信するよう更に構成される。
【００９５】
具体例8は、具体例1〜7の何れかの装置を含み、第1のマルチキャストブロードキャスト単一周波数ネットワーク（MBSFN）リファレンス信号（RS）及び第2のMBSFN  RSを特定し、第1のMBSFN  RSは第1のPMCH信号に関連し、第2のMBSFN  RSは第2のPMCH信号に関連し、第1のPMCH信号及び第2のPMCH信号をアグリゲートPMCH信号と共に複数のUEに送信するよう更に構成される。
【００９６】
具体例9は、具体例1〜8の何れかの装置を含み、第1のMBSFN  RSに第1のスクランブリングアイデンティティ（nIDRS）を割当て、第2のMBSFN  RSに第2のスクランブリングアイデンティティ（nIDRS）を割り当てるよう更に構成され、第1のMBSFN  RSは、第1のスクランブリングアイデンティティ（nIDRS）を用いてスクランブル化され、第2のMBSFN  RSは、第2のスクランブリングアイデンティティ（nIDRS）を用いてスクランブル化され、第1のスクランブリングアイデンティティ（nIDRS）及び第2のスクランブリングアイデンティティ（nIDRS）は所定値である。
【００９７】
具体例10は、具体例1〜9の何れかの装置を含み、第1のPMCH信号と第2のPMCH信号との間のリソース要素毎のPMCHエネルギー（EPRE）のレシオは、第1のMBSFN  RSと第2のMBSFN  RSとの間のMBSFN  RS  EPREのレシオと同じである。
【００９８】
具体例11は、具体例1〜10の何れかの装置を含み、第1のPMCH信号は直交振幅変調（QAM）を用いて変調され、第1のPMCH信号は複数のUEにおける第1のUEについて指定された信号である。
【００９９】
具体例12は、具体例1〜11の何れかの装置を含み、第2のPMCH信号は直交位相シフトキーイング（QPSK）を用いて変調され、第2のPMCH信号は複数のUEにおける第2のUEにおいて有用な信号として利用される干渉である。
【０１００】
具体例13は、マルチメディア・ブロードキャスト・マルチキャスト・サービス（MBMS）のためのマルチユーザ非直交重畳送信を受信するよう動作可能なユーザ装置（UE）の装置を含み、当該装置は、eNodeBからMBMSのためのマルチユーザ非直交重畳送信においてアグリゲート物理マルチキャストチャネル（PMCH）信号を受信し、アグリゲートPMCH信号は第2のPMCH信号と多重化される第1のPMCH信号を含み、eNodeBからアグリゲートPMCH信号における第1のPMCH信号と第2のPMCH信号との間の電力分割比を示す電力オフセットパラメータを受信し、eNodeBからアグリゲートPMCH信号における第1のPMCH信号と第2のPMCH信号とのそれぞれの変調符号化方式(MCS)を受信し、eNodeBからアグリゲートPMCH信号における第1のPMCH信号と第2のPMCH信号とのそれぞれのスクランブリングアイデンティティを受信し、UEにおいてアグリゲートPMCH信号における第1のPMCH信号と第2のPMCH信号とのそれぞれの電力オフセットパラメータ、MCS及びスクランブリングアイデンティティを用いて、アグリゲートPMCH信号における第1のPMCH信号又は第2のPMCH信号の少なくとも1つを復号化するよう構成される1つ以上のプロセッサ及びメモリを有し、アグリゲートPMCH信号における第1のPMCH信号は、アグリゲートPMCH信号における第2のPMCH信号の物理リソースブロック（PRB）と時間及び周波数において部分的又は完全に重複するPRBを用いてUEにおいて受信される。
【０１０１】
具体例14は、具体例13の装置を含み、電力オフセットパラメータは、複数のPMCH信号の間の電力共有をサポートする負のデシベル（dB）値の量子化セットからの規定値を示す。
【０１０２】
具体例15は、具体例13~14の何れかの装置を含み、アグリゲートPMCH信号における第1のPMCH信号と第2のPMCH信号とのそれぞれの電力オフセットパラメータ及びMCSは、PMCHコンフィギュレーション情報要素（IE）においてeNodeBから同時に受信される。
【０１０３】
具体例16は、具体例13~15の何れかの装置を含み、eNodeBから第1のPMCH信号に関連する第1のマルチキャストブロードキャスト単一周波数ネットワーク（MBSFN）リファレンス信号（RS）と第2のPMCH信号に関連する第2のMBSFN  RSとを受信し、eNodeBから第1のMBSFN  RS及び第2のMBSFN  RS信号のそれぞれをスクランブル化するのに用いられるスクランブリングアイデンティティ（nIDRS）を受信し、UEにおいてeNodeBから受信されたスクランブリングアイデンティティ（nIDRS）に基づき第1のMBSFN  RS又は第2のMBSFN  RSの少なくとも1つを復号化するよう更に構成される。
【０１０４】
具体例17は、具体例13~16の何れかの装置を含み、第1のPMCH信号と第2のPMCH信号との間のリソース要素毎のPMCHエネルギー（EPRE）のレシオは、第1のMBSFN  RSと第2のMBSFN  RSとの間のMBSFN  RS  EPREのレシオと同じである。
【０１０５】
具体例18は、具体例13~17の何れかの装置を含み、第1のPMCH信号は直交振幅変調（QAM）を用いて変調され、第1のPMCH信号はUEについて指定された信号である。
【０１０６】
具体例19は、具体例13~18の何れかの装置を含み、第2のPMCH信号は直交位相シフトキーイング（QPSK）を用いて変調され、第2のPMCH信号はUEにおいて有用な信号として利用される干渉である。
【０１０７】
具体例20は、具体例13~19の何れかの装置を含み、アグリゲートPMCH信号における第1のPMCH信号は上位の変調信号であり、アグリゲートPMCH信号における第2のPMCH信号は下位の変調信号である。
【０１０８】
具体例21は、マルチメディア・ブロードキャスト・マルチキャスト・サービス（MBMS）のためのeNodeBにおけるマルチユーザ非直交重畳送信を実行するための命令が実装された少なくとも1つの非一時的なマシーン可読記憶媒体を含み、命令は、実行時、eNodeBの少なくとも1つのプロセッサを用いて、第1の変調符号化方式（MCS）によってMBMSのための第1の物理マルチキャストチャネル（PMCH）信号を変調し、eNodeBの少なくとも1つのプロセッサを用いて、第2のMCSによってMBMSのための第2のPMCH信号を変調し、eNodeBの少なくとも1つのプロセッサを用いて、アグリゲートPMCH信号を構成するため、第1のPMCH信号及び第2のPMCH信号を多重化し、eNodeBの少なくとも1つのプロセッサを用いて、MBMSのためのマルチユーザ非直交重畳を用いてアグリゲートPMCH信号を複数のUEに送信することを実行し、アグリゲートPMCH信号における第1のPMCH信号は、アグリゲートPMCH信号における第2のPMCH信号の物理リソースブロック（PRB）と時間及び周波数において部分的又は完全に重複するPRBを用いて送信される。
【０１０９】
具体例22は、具体例21の少なくとも1つの非一時的なマシーン可読記憶媒体を含み、eNodeBの少なくとも1つのプロセッサによる実行時、UEがアグリゲートPMCH信号を復号化することを可能にするため、電力オフセットパラメータを複数のUEに送信することを実行する命令を更に含み、電力オフセットパラメータは、アグリゲートPMCH信号において第1のPMCH信号と第2のPMCH信号との間の電力分割比を示す。
【０１１０】
具体例23は、具体例21〜22の少なくとも1つの非一時的なマシーン可読記憶媒体を含み、eNodeBの少なくとも1つのプロセッサによる実行時、UEがアグリゲートPMCH信号を復号化することを可能にするため、電力オフセットパラメータを複数のUEに送信することを実行する命令を更に含み、電力オフセットパラメータは、アグリゲートPMCH信号において第1のPMCH信号と第2のPMCH信号との間の電力分割比を示す。
【０１１１】
具体例24は、具体例21〜23の少なくとも1つの非一時的なマシーン可読記憶媒体を含み、eNodeBの少なくとも1つのプロセッサによる実行時、第1のMCS信号及び第2のMCS信号を1つ以上のUEに送信することを実行する命令を更に含み、eNodeBに相対的に近くに配置される第1のUEは、アグリゲートPMCH信号における第1のPMCH信号及び第2のPMCH信号を復調するよう構成され、eNodeBから相対的に遠くに配置される第2のUEは、アグリゲートPMCH信号における第2のPMCH信号のみを復調するよう構成される。
【０１１２】
具体例25は、具体例21〜24の少なくとも1つの非一時的なマシーン可読記憶媒体を含み、eNodeBの少なくとも1つのプロセッサによる実行時、第1のマルチキャストブロードキャスト単一周波数ネットワーク（MBSFN）リファレンス信号（RS）及び第2のMBSFN  RSを特定し、第1のMBSFN  RSは第1のPMCH信号に関連し、第2のMBSFN  RSは第2のPMCH信号に関連し、第1のMBSFN  RS及び第2のMBSFN  RSをアグリゲートPMCH信号と共に複数のUEに送信することを実行する命令を更に含む。
【０１１３】
様々な技術又はそれの特定の態様若しくは一部は、フロッピー（登録商標）ディスケット、コンパクトディスク読み取り専用メモリ（CD-ROM）、ハードドライブ、非一時的なコンピュータ可読記憶媒体又は他の何れかのマシーン可読記憶媒体などの有形の媒体に具体化されたプログラムコード（すなわち、命令）の形態をとってもよく、プログラムコードがコンピュータなどのマシーンにロードされて実行されると、当該マシーンは様々な技術を実施するための装置となる。非一時的なコンピュータ可読記憶媒体は、信号を含まないコンピュータ可読記憶媒体とすることができる。プログラム可能なコンピュータ上でのプログラムコード実行の場合、計算デバイスは、プロセッサ、プロセッサによって読み取り可能な記憶媒体（揮発性及び不揮発性メモリ及び/又は記憶素子を含む）、少なくとも1つの入力デバイス及び少なくとも1つの出力デバイスを含んでもよい。揮発性及び不揮発性メモリ及び/又は記憶素子は、ランダムアクセスメモリ（RAM）、消去可能プログラマブル読み出し専用メモリ（EPROM）、フラッシュドライブ、光ドライブ、磁気ハードディスクドライブ、ソリッドステートドライブ又は電子データを格納する何れかの媒体であってもよい。ノード及び無線デバイスはまた、送受信モジュール（すなわち、送受信機）、カウンタモジュール（すなわち、カウンタ）、処理モジュール（すなわち、プロセッサ）及び/又はクロックモジュール（すなわち、クロック）若しくはタイマモジュール（すなわち、タイマ）を含んでもよい。ここに説明される様々な技術を実現又は利用しうる1つ以上のプログラムは、アプリケーションプログラミングインタフェイス（API）、再利用可能な制御などを利用してもよい。そのようなプログラムは、コンピュータシステムと通信するためのハイレベル手続き型又はオブジェクト指向のプログラミング言語により実現されてもよい。しかしながら、プログラムは、必要に応じて、アセンブリ又は機械語により実現されてもよい。いずれのケースでも、言語はコンパイル又はインタプリタされた言語であり、ハードウェア実装と組み合わされてもよい。
【０１１４】
ここで用いられる「回路」という用語は、1つ以上のソフトウェアまたはファームウェアプログラムを実行する特定用途向け集積回路（ASIC）、電子回路、プロセッサ（共有、専用又はグループ）及び/又はメモリ（共有、専用又はグループ）、組み合わせ論理回路及び/又は所望の機能を提供する他の適切なハードウェアコンポーネントを指すか、それらの一部であるか、あるいは、含んでもよい。いくつかの実施例では、回路は、1つ以上のソフトウェア又はファームウェアモジュールにおいて実現されてもよく、あるいは、回路に関連する機能が、1つ以上のソフトウェア又はファームウェアモジュールにおいて実現されてもよい。いくつかの実施例では、回路は、少なくとも部分的にハードウェアにおいて動作可能なロジックを含んでもよい。
【０１１５】
本明細書に記載された機能ユニットの多くは、それらの実装の独立性を特に強調するため、モジュールとしてラベル付けされていることが理解されるべきである。例えば、モジュールは、カスタム超大規模集積回路（VLSI）回路又はゲートアレイ、ロジックチップ、トランジスタ又は他の個別のコンポーネントなどの既製の半導体を含むハードウェア回路として実現されてもよい。モジュールはまた、フィールドプログラマブルゲートアレイ、プログラマブルアレイロジック、プログラマブルロジックデバイスなどのプログラマブルハードウェアデバイスにおいて実現されてもよい。
【０１１６】
モジュールはまた、様々なタイプのプロセッサによる実行のためソフトウェアにおいて実現されてもよい。実行可能コードの特定されたモジュールは、例えば、オブジェクト、プロシージャ又はファンクションとして編成されうるコンピュータ命令の1つ以上の物理的又は論理的ブロックを備えてもよい。それにもかかわらず、特定されたモジュールの実行可能ファイルは、物理的に一緒に配置される必要はなく、論理的に結合されると、モジュールを構成し、モジュールの説明された目的を達成する異なる位置に格納された異種の命令を含んでもよい。
【０１１７】
実際、実行可能コードのモジュールは、単一の命令又は多くの命令であってもよく、複数の異なるコードセグメントにわたって、異なるプログラムの間で、及び複数のメモリデバイスにわたって分散されてもよい。同様に、操作データは、ここではモジュール内で識別及び図示され、何れか適切な形態で具体化され、何れか適切なタイプのデータ構造内に編成されてもよい。操作データは、単一のデータセットとして収集されてもよく、あるいは、異なるストレージデバイスを含む異なる場所に分散されてもよく、システム又はネットワーク上の電子信号として少なくとも部分的に存在してもよい。モジュールは、所望の機能を実行するよう動作可能なエージェントを含む受動的又は能動的であってもよい。
【０１１８】
本明細書を通して、「一例」又は「例示的」とは、具体例に関連して説明した特定の特徴、構造又は特性が本発明の少なくとも1つの実施例に含まれることを意味する。従って、本明細書全体にわたる様々な場所における「具体例において」又は「例示的な」という語句の出現は、必ずしも全て同じ実施例を指しているわけではない。
【０１１９】
ここで使用されるように、複数の項目、構造要素、構成要素及び/又は材料は、便宜上共通のリストにおいて提示されてもよい。しかしながら、これらのリストは、リストの各メンバーが別々の一意のメンバーとして個々に識別されるかのように解釈されるべきである。従って、そのようなリストの個々のメンバーは、反対であるという表示がなければ、共通のグループにおけるそれらの提示に基づき、同一のリストの他のメンバーと事実上等価であると解釈されるべきではない。さらに、本発明の様々な実施例及び具体例は、その様々な構成要素の代替案と共にここで参照されてもよい。そのような実施例、具体例及び代替物は、互いに実質的な均等物として解釈されるべきではなく、本発明の別々の自律的な表現とみなされるべきであることが理解される。
【０１２０】
さらに、説明された特徴、構造又は特性は、1つ以上の実施例において何れか適切な方式で組み合わされてもよい。以下の説明では、本発明の実施形態の完全な理解を提供するために、レイアウト、距離、ネットワークの具体例などの多数の特定の詳細が提供される。しかしながら、当業者は、本発明が特定の詳細の1つ以上なく、あるいは、他の方法、構成要素、レイアウトなどによって実施できることを認識するであろう。他の例では、周知の構造、物質又は処理は、本発明の態様を不明瞭にすることを避けるため詳細には図示又は説明されない。
上記の具体例は、1つ以上の特定のアプリケーションにおける本発明の原理の例示であるが、実施の形態、利用及び詳細の多くの変更が、本発明の能力を実践することなく、本発明の原理及び概念から逸脱することなく可能であることは、当業者に明らかであろう。従って、以下に示す請求項を除いて、本発明を限定することは意図していない。
【図１】
0006701221.tif 000009
【図２Ａ】
0006701221.tif 000010
【図２Ｂ】
0006701221.tif 000011
【図３】
0006701221.tif 000012
【図４】
0006701221.tif 000013
【図５】
0006701221.tif 000014
【図６】
0006701221.tif 000015
【図７】
0006701221.tif 000016
【図８】
0006701221.tif 000017
【図９】
0006701221.tif 000018
【図１０】
0006701221.tif 000019